(57)【要約】【課題】一つの締止具で途中でバンドを切ることなく箱体を十字に縛止することができ、作業が容易で、バンドの長さに無駄を出さず、さらにバンドは締止後緩むことなく安定する荷造り用バンドの締具を提供する。【解決手段】縦方向の枠部（１）と横方向の枠部（２）を有し、さらに斜め方向の枠部（３）は枠部（１），（２）に対して４５度の傾斜をなし、それぞれバンド（８）を通す挿入孔（４ａ），（４ｂ），（４ｃ）を設けて一体に形成させ、枠部（１），（２）の外側に屈撓性の連結具（６ａ），（６ｂ）により接続されている挟止体（５ａ），（５ｂ）を設け、さらに枠部（３）の外側には枠部（１），（２）に対してマイナス４５度の傾斜をなして接続された連結具（６ｃ）により連結された挟止体（５ｃ）を設けることを特徴とする。【選択図】        図１
2004262542.tif 000002
【特許請求の範囲】
【請求項１】
縦方向の枠部（１）と横方向の枠部（２）を有し、さらに斜め方向の枠部（３）は枠部（１），（２）に対して４５度の傾斜をなし、それぞれバンド（８）を通す挿入孔（４ａ），（４ｂ），（４ｃ）を設け一体に形成させ、枠部（１），（２）の外側に屈撓性の連結具（６ａ），（６ｂ）により接続されている挟止体（５ａ），（５ｂ）を設け、さらに枠部（３）の外側には枠部（１），（２）に対してマイナス４５度の傾斜をなして接続された連結具（６ｃ）により連結された挟止体（５ｃ）を設けてなる荷造り用バンド十字締具。
【発明の詳細な説明】
【０００１】
【発明の属する技術分野】
この発明は、斜め４５度の傾きをもった枠部と挿入孔、及びマイナス４５度の傾きで連結されている挟止体を構成することにより、箱体の荷物を十字に縛止する際に、縛止作業が容易で、荷造りバンドの余分な無駄を無くすことができ、バンドの締止後はバンドが緩む事が無い荷造り用バンド十字締具に関するものである。
【０００２】
【従来の技術】
従来、箱体の荷物を十字状に縛止するには、特許第２９８２４０１号の様に一方向の締止具を二つ組み合わせるのが一般的である。また、特開平６−２７８７６２号においては一つの締止具で十字に縛止する事はできるが、縦、横それぞれ一方向ずつ荷作り用バンドを締止させなければならない。他に、十字に縛止できるもので実公昭４４−２１６８０号がある。
【０００３】
【発明が解決しようとする課題】
これらは次のような欠点があった。
特許第２９８２４０１号の様に一方向の締止具を二つ組み合わせる場合、締止具を二つ使用する為に手間がかかり、荷造り用バンドの端部に於ける無駄も生じ不経済である。特開平６−２７８７６２号に於いては一つの締止具で十字に縛止する事はできるが、縦、横それぞれ一方向ずつ荷作り用バンドを締止させなければならない為に上記と同様に、手間と無駄を生じる。実公昭４４−２１６８０号に於いては、十字に縛止する為にあらかじめ荷作り用バンドを適当な長さに切る必要がある。この事は、時にバンドの長さが足りなくなり、最初からやり直す必要が生じたり、バンドの最後の締方の方法上、どうしても長めにバンドを切る必要があるので、バンドに無駄が生じる。さらに、長過ぎた場合は、締止後再度バンドを切断する手間もかかる。
本発明は、これらの欠点を除くためになされたものである。
【０００４】
【課題を解決するための手段】
縦方向の枠部（１）と横方向の枠部（２）を有し、さらに斜め方向の枠部（３）は枠部（１），（２）に対して４５度の傾斜をなし、それぞれバンド（８）を通す挿入孔（４ａ），（４ｂ）と斜めの挿入孔（４ｃ）を設け一体に形成させる。さらに、枠部（１），（２）の外側に屈撓性の連結具（６ａ），（６ｂ）により接続されている挟止体（５ａ），（５ｂ）を折曲げた時に枠体（１）および（２）それぞれの端部に少し重なるように設け、さらに枠部（３）の外側には枠部（１），（２）に対してマイナス４５度の傾斜をなして接続された連結具（６ｃ）により連結された挟止体（５ｃ）を枠部（３）の斜めの枠に折曲げた時に少し重なるように設ける。
本発明は、以上のような構成よりなる荷造り用バンド十字締具である。
【０００５】
【発明の実施の形態】
以下、本発明の実施の形態について説明する。
（イ）縦方向の枠部（１）と横方向の枠部（２）を有し、さらに斜め方向の枠部（３）は枠部（１），（２）に対して４５度の傾斜をなしている。この傾きが、十字に縛る際の縦方向から横方向へのバンドの移行を容易にさせている。
（ロ）それぞれの枠部（１），（２），（３）にはバンド（８）を通す挿入孔（４ａ），（４ｂ）と斜めの挿入孔（４ｃ）を設け一体に形成させる。挿入孔（４ａ）と（４ｃ）は方向の違う同じ大きさとする。
（ハ）枠部（１），（２）の外側に肉薄の屈撓性の連結具（６ａ），（６ｂ）により接続されている挟止体（５ａ），（５ｂ）を、折曲げた時に枠体（１）および（２）それぞれの端部に少し重なるように設け、さらに枠部（３）の外側には枠部（１），（２）に対してマイナス４５度の傾斜をなして接続された連結具（６ｃ）により連結された挟止体（５ｃ）を、枠部（３）の斜めの枠に折曲げた時に少し重なるように設ける。
（二）挟止体（５ａ）に於いて、長さは枠部（１）の幅とほぼ同じ長さとし、折曲げた時に挿入孔（４ａ）の位置に当る部分には、挿入孔（４ａ）の幅と同じ長さ分の凹部を設ける。同様にして、挟止体（５ｂ）に於いて、長さは枠部（２）の幅とほぼ同じ長さとし、折曲げた時に挿入孔（４ｂ）の位置に当る部分には、挿入孔（４ｂ）の幅と同じ長さ分の凹部を設ける。挟止体（５ｃ）に於いては、長さは枠部（３）の斜め方向の長さとほぼ同じ長さとし、折曲げた時に挿入孔（４ｃ）の位置に当る部分には、挿入孔（４ｃ）の斜め方向の長さと同じ長さ分の凹部を設ける。これらの凹部によって、バンドはスムースに巻き付き固定される。さらに、挟止体（５ｃ）の上下端部においては、折曲げて枠部（３）に重ねた時に枠部（３）の形状に合うように形成する。
本発明は以上のような構造で、これを使用するときの手順を以下に詳しく述べる。
初めに図２に示すように、箱体の上部に枠部（１）が奥、枠部（２）が左に来るように乗せる。荷造り用のバンド（８）の始部を二つ折し、バンド端部（８ａ）が上になるように重ね、出来たバンド輪部（９）を挿入孔（４ａ）の下から通し、挟止体（５ａ）をその輪部（９）の中に通し入れながら倒す。それと共にバンド（８）を引っ張ることにより、輪部（９）は挟止体（５ａ）にしっかり巻き付き固定される。次に、引いたバンド（８）をそのまま箱体（１０）に沿う様にして、奥側面から、底面さらに手前の側面から上部に這わせ持ってきて、図３に示すように、バンド（８）を手前に重ねるように輪部（９）を作り、その輪部（９）を約４５度捻り挿入孔（４ｃ）の下から通し、挟止体（５ｃ）をその輪部（９）の中に通し入れながら倒し、それと共にバンド（８）を右横方向に引っ張る。枠部（３）及び挟止体（５ｃ）が４５度の角度が付いている為、バンド（８）は、安定な固定を保ちながら縦方向から横方向へ移行することができる。次に、横方向にそのままバンド（８）を引きながら箱体（１）の右側面から底面を這わせ左側面から上部に持ってくる。図４に示すように、先と同様に作った輪部（９）を挿入孔（４ｂ）の下から挿入し、挟止体（５ｂ）をその輪部（９）に通しながら倒し、それと共にバンド（８）を左横方向に引っ張る。この事により、挟止体（５ｂ）は輪部（９）を巻き付けながら枠体（２）に接触し固定される。最後に必要な長さ分のバンド端部（８ｂ）を残して切る。
以上のように本発明を使用すると、バンドの締止に於ける開始部と終了部は、バンドの張力により挟止体（５ａ），（５ｂ）がしっかりとそれぞれの枠部（１），（２）に接触し固定される。さらに、本発明の大きな特徴である斜の枠部（３）と挿入孔（４ｃ）及びマイナス４５度で連結された挟止体（５ｃ）を枠部（３）に沿って倒すことにより、縦方向から横方向の移行部でバンド（８）は安定な固定を保つことができる。しかもバンド（８）を必要最低限の長さで十字に締止することができる。
【０００６】
【発明の効果】
箱体の荷物を荷造り用バンドにより縛止する際に、一つの締止具で途中でバンドを切ることなく箱体を十字に縛止することができ、作業が容易で、なお且つ手順に於いても、バンドの長さに於いても無駄を出さない。さらに、バンドは締止後緩むことなく安定している。
【図面の簡単な説明】
【図１】本発明の平面図
【図２】挿入孔（４ａ）におけるバンド（８）の締止方法説明図
【図３】斜め挿入孔（４ｃ）に於けるバンド（８）の締止方法説明図
【図４】挿入孔（４ｂ）におけるバンド（８）の締止方法説明図
【図５】箱体の荷物に本発明を使用した時の十字にバンドが締止された完成状態を示す平面図
【符号の説明】
１    枠部
２    枠部
３    枠部
４ａ  挿入孔
４ｂ  挿入孔
４ｃ  挿入孔
５ａ  挟止体
５ｂ  挟止体
５ｃ  挟止体
６ａ  連結具
６ｂ  連結具
６ｃ  連結具
７    孔
８    バンド
８ａ  バンド端部
８ｂ  バンド端部
９    輪部
１０    箱体
【図１】
2004262542.tif 000003
【図２】
2004262542.tif 000004
【図３】
2004262542.tif 000005
【図４】
2004262542.tif 000006
【図５】
2004262542.tif 000007